(57)【特許請求の範囲】
【請求項１】
取付面に沿って配管される管材を、周方向に取り囲んで保持する保持部と、その保持部の両端から延出し、互いに対向位置して前記取付面に固定される固定部とを、備える管材保持具であって、
前記保持部は、前記管材に形成された水抜き孔を覆う覆い壁と、前記水抜き孔と対面しない位置に設けられて前記水抜き孔から排出される水を前記保持部外に排水する排水口と、内面に設けられて前記水抜き孔から排出される水を前記排水口へ案内する案内路とを、有する管材保持具。
【請求項２】
前記排水口は、前記取付面に向けて開口する、請求項１に記載の管材保持具。
【請求項３】
前記排水口は、前記管材の軸方向となる保持部幅方向の少なくとも一方の側に設けられ、前記案内路は、前記保持部幅方向に沿って形成される、請求項１に記載の管材保持具。
【請求項４】
前記管材は、波付管からなり、前記案内路は、前記管材の外面凸部の外側にあって前記保持部の内面から窪むように形成される、請求項３に記載の管材保持具。
【請求項５】
前記排水口は、その端縁が、前記取付面から離れた位置となるよう形成される、請求項１ないし４のいずれか１項に記載の管材保持具。
【請求項６】
前記管材は、波付管からなり、
前記管材の軸方向の、前記保持部と前記管材との相対的なずれを防止すべく、前記保持部は、その内面に、前記管材の外面凹部に係合する係合部を有する、請求項１ないし５のいずれか１項に記載の管材保持具。
【請求項７】
前記係合部は、前記管材における前記水抜き孔を挟む両外面凸部を越えて前記水抜孔から離れた各側にある外面凹部に係合するよう、複数設けられる、請求項６に記載の管材保持具。
【請求項８】
前記保持部は、内面に、周方向に延びて前記案内路に達する凹部を有する、請求項１ないし７のいずれか１項に記載の管材保持具。
【請求項９】
起立する取付面に沿って配管されて下に凸となるよう屈曲する屈曲配管部を有する管材と、前記屈曲配管部を保持して前記取付面に固定された管材保持具とを備え、
前記屈曲配管部には、水抜き孔が形成され、
前記管材保持具は、前記屈曲配管部を周方向に取り囲んで保持する保持部を備え、
前記保持部は、前記水抜き孔を覆う覆い壁と、前記水抜き孔と対面しない位置に設けられて前記水抜き孔から排出される水を前記保持部外に排水する排水口と、内面に設けられて前記水抜き孔から排出される水を前記排水口へ案内する案内路とを、備え、また、
前記排水口は、その端縁が、前記取付面から離れた位置にある、管材保持構造。
【請求項１０】
管材保持具を用いて、管材を取付面に沿って配管する配管方法であって、
前記管材保持具は、前記管材を周方向に取り囲んで保持する保持部と、前記取付面に固定される固定部とを備えるとともに、前記保持部は、前記取付面に向けて開口する排水口を有し、
前記配管方法は、前記保持部を前記取付面から遠ざけた状態で、前記排水口から、穿孔具を挿入して前記保持部に保持された前記管材に水抜き孔をあけ、
前記保持部を前記取付面側に移して前記固定部を前記取付面に固定して、前記管材を前記取付面に沿って配管する、管材の配管方法。
【発明の詳細な説明】
【技術分野】
【０００１】
この発明は、管材保持具、管材保持構造、および管材の配管方法に関するものである。
【背景技術】
【０００２】
従来、建物の外壁に沿って、電線管が配管されることがあった（例えば、特許文献１参照）。ここで、電線管が縦配管されたりすると、継ぎ手部分などから雨水が電線管内に浸入する虞があった。そこで、水が電線管内を通って機器内に入らないよう、電線管にＵ字状の屈曲配管部を設け、その屈曲配管部に水抜き孔をあけることがあった。
【先行技術文献】
【特許文献】
【０００３】
【特許文献１】特開２０１３−１８３５８９号公報
【発明の概要】
【発明が解決しようとする課題】
【０００４】
ところで、前記従来の配管にあっては、管材としての電線管にあけた水抜き孔が外から見えることから、見栄えが悪かった。
【０００５】
この発明は、上記した従来の欠点を解決するためになされたものであり、その目的とするところは、管材の見栄えを損なうことなく水を抜くことができる、管材保持具、管材保持構造、および管材の配管方法を提供することにある。
【課題を解決するための手段】
【０００６】
この発明に係る管材保持具、管材保持構造、および管材の配管方法は、前記目的を達成するために、次の構成からなる。すなわち、
請求項１に記載の発明に係る管材保持具は、取付面に沿って配管される管材を、周方向に取り囲んで保持する保持部と、その保持部の両端から延出し、互いに対向位置して前記取付面に固定される固定部とを、備える。ここで、前記保持部は、前記管材に形成された水抜き孔を覆う覆い壁と、前記水抜き孔と対面しない位置に設けられて前記水抜き孔から排出される水を前記保持部外に排水する排水口と、内面に設けられて前記水抜き孔から排出される水を前記排水口へ案内する案内路とを、有する。
【０００７】
この管材保持具によると、管材を保持する保持部は、管材にあけられた水抜き孔を覆う覆い壁を備え、排水口が、水抜き孔と対面しない位置に設けられる。このため、例えば、起立する取付面に沿って水平に配管された水平配管部や、起立する取付面に沿って配管されて下に凸となるよう屈曲する屈曲配管部を保持した際に、同部分にあけられた水抜き孔を、覆い壁によって隠すことができる。そして、保持部は、案内路を備える。このため、管材の水抜き孔から排出された水は、案内路に案内されて排水口に進み、その排水口から保持部外に排水される。また、この管材保持具は、保持部と固定部とを備えていることから、一般的なサドルとしてどこにでも使用することができ、さらに、管材に水抜き孔が形成された箇所においては、化粧用のサドルとして使用することができる。
【０００８】
また、請求項２に記載の発明に係る管材保持具は、請求項１に記載の管材保持具において、前記排水口は、前記取付面に向けて開口する。こうして、排水口が取付面に向けて開口することで、その排水口が外から見えにくくなる。
【０００９】
また、請求項３に記載の発明に係る管材保持具は、請求項１に記載の管材保持具において、前記排水口は、前記管材の軸方向となる保持部幅方向の少なくとも一方の側に設けられ、前記案内路は、前記保持部幅方向に沿って形成される。
【００１０】
また、請求項４に記載の発明に係る管材保持具は、請求項３に記載の管材保持具において、前記管材は、波付管からなり、前記案内路は、前記管材の外面凸部の外側にあって前記保持部の内面から窪むように形成される。
【００１１】
また、請求項５に記載の発明に係る管材保持具は、請求項１ないし４のいずれか１項に記載の管材保持具において、前記排水口は、その端縁が、前記取付面から離れた位置となるよう形成される。こうして、排水口の端縁が取付面から離れた位置にあることで、排水口から排水された水が取付面を伝って落ちてその取付面に染みが付くことを防ぐことができる。
また、請求項６に記載の発明に係る管材保持具は、請求項１ないし５のいずれか１項に記載の管材保持具において、前記管材は、波付管からなる。そして、前記管材の軸方向の、前記保持部と前記管材との相対的なずれを防止すべく、前記保持部は、その内面に、前記管材の外面凹部に係合する係合部を有する。
【００１２】
また、請求項７に記載の発明に係る管材保持具は、請求項６に記載の管材保持具において、前記係合部は、前記管材における前記水抜き孔を挟む両外面凸部を越えて前記水抜孔から離れた各側にある外面凹部に係合するよう、複数設けられる。こうして、係合部が、管材の水抜き孔から離れた各側にある外面凹部に係合することで、管材が、水抜き孔から周方向に延びる亀裂により分断された場合であっても、その分断された管材が保持部から抜けることがない。
【００１３】
また、請求項８に記載の発明に係る管材保持具は、請求項１ないし７のいずれか１項に記載の管材保持具において、前記保持部は、内面に、周方向に延びて前記案内路に達する凹部を有する。こうして、保持部の内面に設けられた凹部が、周方向に延びて案内路に達することで、保持部と管材との、周方向の位置ずれがあっても、管材の水抜き孔から排出された水は、凹部を通って案内路に進むことができる。
【００１４】
また、請求項９に記載の発明に係る管材保持構造は、起立する取付面に沿って配管されて下に凸となるよう屈曲する屈曲配管部を有する管材と、前記屈曲配管部を保持して前記取付面に固定された管材保持具とを備える。ここで、前記屈曲配管部には、水抜き孔が形成される。そして、前記管材保持具は、前記屈曲配管部を周方向に取り囲んで保持する保持部を備える。そこで、前記保持部は、前記水抜き孔を覆う覆い壁と、前記水抜き孔と対面しない位置に設けられて前記水抜き孔から排出される水を前記保持部外に排水する排水口と、内面に設けられて前記水抜き孔から排出される水を前記排水口へ案内する案内路とを、備える。そして、前記排水口は、その端縁が、前記取付面から離れた位置にある。
【００１５】
この管保持構造によると、管材保持具の保持部は、管材にあけられた水抜き孔を覆う覆い壁を備え、排水口が、水抜き孔と対面しない位置に設けられる。このため、水抜き孔を、覆い壁によって隠すことができる。そして、保持部は、案内路を備える。このため、管材の水抜き孔から排出された水は、案内路に案内されて排水口に進み、その排水口から保持部外に排水される。また、排水口の端縁が取付面から離れた位置にあることで、排水口から排水された水が取付面を伝って落ちてその取付面に染みが付くことを防ぐことができる。
【００１６】
また、請求項１０に記載の発明に係る管材の配管方法は、管材保持具を用いて、管材を取付面に沿って配管する配管方法である。ここで、前記管材保持具は、前記管材を周方向に取り囲んで保持する保持部と、前記取付面に固定される固定部とを備えるとともに、前記保持部は、前記取付面に向けて開口する排水口を有する。そこで、前記配管方法は、前記保持部を前記取付面から遠ざけた状態で、前記排水口から、穿孔具を挿入して前記保持部に保持された前記管材に水抜き孔をあける。そして、前記保持部を前記取付面側に移して前記固定部を前記取付面に固定して、前記管材を前記取付面に沿って配管する。
【００１７】
この配管方法によると、保持部に保持された管材に対し、排水口から穿孔具を挿入して水抜き孔をあけることで、保持部に対して水抜き孔を所定の位置に保つことができる。そして、排水口は、取付面に向けて開口する。このため、その排水口が外から見えにくく、その排水口の奥にある水抜き孔もまた外から見えにくくなる。そして、管材の水抜き孔から排出された水は、排水口から保持部外に排水される。
【発明の効果】
【００１８】
この発明に係る管材保持具および管材保持構造によれば、保持部が、管材の水抜き孔を覆う覆い壁を備え、その水抜き孔と対面しない位置に排水口を備えることで、水抜き孔が外から見えにくく、このため、管材の見栄えを損なうことなく水を抜くことができる。
【００１９】
また、この発明に係る管材の配管方法によれば、管材保持具における保持部に、取付面に向けて開口する排水口を設け、その排水口から穿孔具を挿入して管材に水抜き孔をあけることで、その排水口とか水抜き孔が外から見えにくく、このため、管材の見栄えを損なうことなく水を抜くことができる。
【図面の簡単な説明】
【００２０】
【図１】この発明の一実施の形態の、管材保持構造の正面図である。
【図２】同じく、図１におけるＡ−Ａ線による拡大断面図である。
【図３】同じく、管材保持具の側面図である。
【図４】同じく、管材保持具の斜視図である。
【図５】同じく、管材保持具の他の斜視図である。
【図６】同じく、管材の配管方法を示す断面図である。
【図７】この発明の他の実施の形態の、管材保持具の側面図である。
【図８】同じく、管材保持具の斜視図である。
【図９】同じく、図７におけるＢ−Ｂ線による断面図である。
【図１０】この発明の他の実施の形態の、変形例を示す図９相当図である。
【図１１】この発明のさらに他の実施の形態の、管材保持具の斜視図である。
【図１２】同じく、管材保持具の断面図である。
【図１３】この発明のさらに他の実施の形態の、管材保持具の斜視図である。
【図１４】同じく、管材保持具の他の斜視図である。
【発明を実施するための形態】
【００２１】
以下、この発明に係る管材保持具、管材保持構造、および管材の配管方法を実施するための形態を図面に基づいて説明する。
【００２２】
図１〜図６は、本発明の一実施の形態を示す。図中符号１は、建物の壁面等の起立する取付面を示す。２は、前記取付面１に沿って配管される管材を示す。３は、管材保持具を示す。４は、管材保持構造を示す。
【００２３】
ここで、管材保持具３は、前記管材２を周方向に取り囲んで保持する保持部５と、その保持部５の両端から延出し、互いに対向位置して前記取付面１に固定される固定部６とを、備える。そして、保持部５は、管材２に形成された水抜き孔２ａを覆う覆い壁５ａと、水抜き孔２ａと対面しない位置に設けられて水抜き孔２ａから排出される水を保持部５外に排水する排水口５ｂと、内面に設けられて水抜き孔２ａから排出される水を排水口５ｂへ案内する案内路５ｃとを、有する。そして、排水口５ｂは、その端縁が、取付面１から離れた位置となるよう形成される。
【００２４】
具体的には、管材２は、電線や通信ケーブル等を収容保護する電線管であったり、通水管等の流体管を収容保護する保護管であったりする。そして、管材２は、例えば、波付管からなる。この管材２は、前記取付面１に沿って配管されて、下に凸となるよう屈曲する（詳しくは、略Ｕ字状に屈曲する）屈曲配管部２ｂを有する。そして、その屈曲配管部２ｂに（詳しくは、屈曲配管部２ｂの下端に）、前記水抜き孔２ａが形成され、その水抜き孔２ａを覆い壁５ａが覆うようにして、管材保持具３が配置される。
【００２５】
管材保持具３は、全体が片サドル状（詳しくは、両端部に設けられた固定部６が重なるように向き合う片サドル状）に曲がって形成され、その湾曲する中間部が前記保持部５となり、各端側が前記固定部６となる。固定部６は、取付面１側に位置する第１固定部６ａと、その反対側に対向位置する第２固定部６ｂとからなり、第１固定部６ａは、第２固定部６ｂよりも、その基部側に長く延びて形成される。そして、保持部５は、大半が、管材２の周面に沿うように円弧状に形成され、その一方端と第１固定部６ａの基部とが滑らかに繋がり、その他方端と第２固定部６ｂの基部とが、直角に折れ曲がって繋がっている。
【００２６】
この管材保持具３は、固定部６が上側となり保持部５が下側となって、第１固定部６ａが取付面１に当接するようにして配置される。そして、第１および第２固定部６ａ、６ｂには、取付孔６ｃがあけられており、この取付孔６ｃに、ビスとか釘とかの固着具（図示せず）が挿入されて取付面１に、ねじ込まれたり打ち込まれたりし、これによって、固定部６、ひいては管材保持具３は、取付面１に固定される。また、図示実施の形態においては、第１固定部６ａには、側方に突出する補助固定部６ｄが設けられている。そして、この補助固定部６ｄには、補助取付孔６ｅがあけられており、この補助取付孔６ｅに、ビスとか釘とかの固着具（図示せず）が挿入されて取付面１に、ねじ込まれたり打ち込まれたりする。
【００２７】
保持部５は、覆い壁５ａと排水口５ｂと案内路５ｃとを二組有する。すなわち、保持部５は、一組目となる、覆い壁５ａとしての第１の覆い壁５１１と、排水口５ｂとしての第１の排水口５２１と、案内路５ｃとしての第１の案内路５３１とを備える。そして、保持部５は、二組目となる、覆い壁５ａとしての第２の覆い壁５１２と、排水口５ｂとしての第２の排水口５２２と、案内路５ｃとしての第２の案内路５３２とを有する。
【００２８】
第１の覆い壁５１１（５ａ）は、保持部５の外側に膨出して形成され、その第１の覆い壁５１１は、管材２の軸方向となる保持部幅方向の中央部分を、管材２の周方向となる保持部周方向に（詳しくは、水抜き孔２ａと対面する位置から取付面１側に）延びて形成される。そして、第１の覆い壁５１１は、図示実施の形態においては、取付面１側に延びる端部が開口し、その開口Ｘと、その開口Ｘに続く保持部５の貫通部Ｙとが、第１の排水口５２１（５ｂ）となる（図２参照）。すなわち、第１の排水口５２１は、取付面１に向けて開口する。そして、第１の覆い壁５１１の内側が、保持部５の内面から窪むことで、第１の案内路５３１（５ｃ）となる。
【００２９】
第２の覆い壁５１２（５ｂ）は、保持部５の外側に膨出して形成され、その第２の覆い壁５１２は、管材２の軸方向となる保持部幅方向に（詳しくは、水抜き孔２ａと対面する位置から保持部幅方向の両方の側に）延びている。そして、第２の覆い壁５１２は、保持部幅方向の両端が開口し、その開口が第２の排水口５２２（５ｂ）となる。つまり、第２の排水口５２２は、保持部幅方向の両方の側に設けられる。そして、第２の覆い壁５１２の内側が、保持部５の内面から窪むことで、第２の案内路５３２（５ｃ）となる。すなわち、第２の案内路５３２は、保持部幅方向に沿って形成され、また、波付管からなる管材２の外面凸部２ｃの外側にあって保持部５の内面から窪むように形成される。
【００３０】
また、管材保持具３は、貫通孔７を備えている。図示実施の形態においては、貫通孔７は、第１固定部６ａと保持部５との境界部分に設けられる。この貫通孔７は、取付面１が水平な場合に、排水口として機能するものであって、管材２に、貫通孔７と対向するよう配置された水抜き孔から、水が排出されると、その水は、この貫通孔７を通って保持部５外に排水される。
【００３１】
管材保持構造４は、前記管材２と、その管材２（図示実施の形態においては、その管材２の屈曲配管部２ｂ）を保持して前記取付面１に固定された前記管材保持具３とを備える。そして、第１および第２の排水口５２１、５２２は、その端縁が、取付面１から離れた位置にある。
【００３２】
次に、管材保持具３を用いて、管材２を起立する取付面１に沿って配管する配管方法を、図６を用いて説明する。ここで、配管保持具３は、管材２を周方向に取り囲んで保持する保持部５と、取付面１に固定される固定部６を備える。そして、保持部５は、取付面１に向けて開口する排水口５２１（５ｂ）を有する。そこで、この配管方法は、保持部５を取付面１から遠ざけた状態で、排水口５２１（５ｂ）から、穿孔具８を挿入して保持部５に保持された管材２に水抜き孔２ａをあける。その後、保持部５を取付面１側に移して固定部６を取付面１に固定して、管材２を取付面１に沿って配管する。
【００３３】
次に、以上の構成からなる管材保持具３、管材保持構造４、および管材２の配管方法の作用効果について説明する。
【００３４】
この管材保持具３および管材保持構造４によると、管材２を保持する保持部５は、管材２にあけられた水抜き孔２ａを覆う覆い壁５ａを備え、排水口５ｂが、水抜き孔２ａと対面しない位置に設けられる。このため、例えば、起立する取付面１に沿って水平に配管された水平配管部や、起立する取付面１に沿って配管されて下に凸となるよう屈曲する屈曲配管部２ｂを保持した際に、同部分にあけられた水抜き孔２ａを、覆い壁５ａによって隠すことができる。そして、保持部５は、案内路５ｃを備える。このため、管材２の水抜き孔２ａから排出された水は、案内路５ｃに案内されて排水口５ｂに進み、その排水口５ｂから保持部５外に排水される。すなわち、保持部５が、管材２の水抜き孔２ａを覆う覆い壁５ａを備え、その水抜き孔２ａと対面しない位置に排水口５ｂを備えることで、水抜き孔２ａが外から見えにくい。このため、管材２の見栄えを損なうことなく水を抜くことができる。
【００３５】
また、排水口５２１（５ｂ）が取付面１に向けて開口することで、その排水口５２１（５ｂ）が外から見えにくくなる。そして、排水口５２１（５ｂ）、５２２（５ｂ）の端縁が取付面１から離れた位置にあることで、排水口５２１（５ｂ）、５２２（５ｂ）から排水された水が取付面１を伝って落ちてその取付面１に染みが付くことを防ぐことができる。
【００３６】
また、この管材保持具３は、保持部５と固定部６とを備えていることから、水抜き孔２ａの有無を問わず、一般的なサドルとしてどこにでも（つまり、取付面１が起立するかどうかにかかわらず、また、管材２のどの部分に対しても）使用することができ、管材２を保持固定することができる。そして、上述したように管材２に水抜き孔２ａが形成された箇所においては、化粧用のサドルとして使用することができる。
【００３７】
また、管材２の配管方法によると、保持部５に保持された管材２に対し、排水口５２１（５ｂ）から穿孔具８を挿入して水抜き孔２ａをあけることで、保持部５に対して水抜き孔２ａを所定の位置に保つことができる。そして、排水口５２１（５ｂ）は、取付面１に向けて開口する。このため、その排水口５２１（５ｂ）が外から見えにくく、その排水口５２１（５ｂ）の奥にある水抜き孔２ａもまた外から見えにくくなる。そして、管材２の水抜き孔２ａから排出された水は、排水口５２１（５ｂ）から保持部５外に排水される。すなわち、この配管方法によれば、管材保持具３における保持部５に、取付面１に向けて開口する排水口５２１（５ｂ）を設け、その排水口５２１（５ｂ）から穿孔具８を挿入して管材２に水抜き孔２ａをあけることで、その排水口５２１（５ｂ）とか水抜き孔２ａが外から見えにくい。このため、管材２の見栄えを損なうことなく水を抜くことができる。
【００３８】
なお、本発明は、上述した実施の形態に限定されるわけではなく、その他種々の変更が可能である。例えば、図７〜図１０に示すように、管材２の軸方向の、保持部５と管材２との相対的なずれを防止すべく、保持部５は、その内面に、管材２の外面凹部２ｄに係合する係合部５ｄを有してもよい。ここで、図７〜図９に示す例においては、係合部５ｄは、保持部５の内面において、保持部幅方向の中央に突出して形成され、特に、保持部周方向にリブ状に長く延びる突部からなっている。もっとも、係合部５ｄは、保持部幅方向の中央に設けられなくとも、中央からずれた位置に設けられてもよく、また、周方向にリブ状に長く延びる突部からならなくとも、例えば柱状に突出する突部であってもよい。また、この係合部５ｄは、一つでなくとも、図１０に示すように、管材２における水抜き孔２ａを挟む両外面凸部２ｃ、２ｃを越えて水抜き孔２ａから離れた各側にある外面凹部２ｄに係合するよう、複数（図示実施の形態においては、二つ）設けられてもよい。そこで、このように、係合部５ｄが、管材２の水抜き孔２ａから離れた各側にある外面凹部２ｄに係合することで、管材２が、水抜き孔２ａから周方向に延びる亀裂により分断された場合であっても、その分断された管材２が保持部５から抜けることがない。
【００３９】
また、水抜き孔２ａは、管材２の外面凹部２ｄに設けられたり、外面凹部２ｄとその両側の外面凸部２ｃ、２ｃに渡って設けられたりする以外に、外面凸部２ｃに設けられたり、外面凸部２ｃとその両側の外面凹部２ｄ、２ｄに渡って設けられたりするなど、いずれの位置に設けられてもよい。そこで、この水抜き孔２ａが覆い壁５１１（５ａ）で覆われるように、係合部５ｄが設けられて、管材２と保持部５とが、管材２の軸方向に対して相対的に位置決めされる。そして、水抜き孔２ａが覆い壁５１１（５ａ）で覆われればよいことから、管材２における水抜き孔２ａの位置と、保持部５における覆い壁５１１（５ａ）の位置しだいで、管材２の外面凹部２ｄあるいは外面凸部２ｃは、保持部幅方向の中央に位置する場合もあれば、中央からずれて位置する場合もある。
【００４０】
また、保持部５は、覆い壁５ａと排水口５ｂと案内路５ｃとを二組有するが、一組のみを有するものであってもよい。すなわち、図１１および図１２に示すように、保持部５は、第１の覆い壁５１１と第１の排水口５２１と第１の案内路５３１を有するのみで、第２の覆い壁５１２と第２の排水口５２２と第２の案内路５３２を有しなくともよい。また、反対に、図１３および図１４に示すように、保持部５は、第２の覆い壁５１２と第２の排水口５２２と第２の案内路５３２を有するのみで、第１の覆い壁５１１と第１の排水口５２１と第１の案内路５３１を有しなくともよい。ここで、第２の覆い壁５１２および第２の案内路５３２は、保持部幅方向の中央部分から、その保持部幅方向の一方の側のみに延びて、一方の側のみに第２の排水口５２２が設けられるが、第２の覆い壁５１２および第２の案内路５３２が両方の側に延びて、両方の側に第２の排水口５２２が設けられてもよい。すなわち、第２の排水口５２２は、保持部幅方向の少なくとも一方の側に設けられればよい。このことは、前述した、図１〜図６に示す実施の形態とか、図７〜図１０に示す実施の形態においても同様である。
【００４１】
また、これら図１１および図１２とか、図１３および図１４に示す実施の形態においては、保持部５は、内面に、周方向に延びて案内路５ｃに達する凹部５ｅを有している。そこで、このように、保持部５の内面に設けられた凹部５ｅが、周方向に延びて案内路５ｃに達することで、保持部５と管材２との、周方向の位置ずれがあっても、管材２の水抜き孔２ａから排出された水は、凹部５ｅを通って案内路５ｃに進むことができる。このことは、前述した、図１〜図６に示す実施の形態とか、図７〜図１０に示す実施の形態においても同様であって、保持部５の内面に案内路５ｃを設けることができる。
【００４２】
また、第１の覆い壁５１１と第２の覆い壁５１２とは、保持部５の外側に膨出しているが、膨出しなくともよい。
【００４３】
また、管材２は、波付管からならなくとも、平滑管からなってもよい。
【符号の説明】
【００４４】
１  取付面
２  管材
２ａ  水抜き孔
２ｂ  屈曲配管部
２ｃ  外側凸部
２ｄ  外側凹部
３  管材保持具
４  管材保持構造
５  保持部
５ａ  覆い壁
５１１  第１の覆い壁（覆い壁）
５１２  第２の覆い壁（覆い壁）
５ｂ  排水口
５２１  第１の排水口（排水口）
５２２  第２の排水口（排水口）
５ｃ  案内路
５３１  第１の案内路（案内路）
５３２  第２の案内路（案内路）
５ｄ  係合部
５ｅ  凹部
６  固定部
８  穿孔具
【図１】
0006392108.tif 000002
【図２】
0006392108.tif 000003
【図３】
0006392108.tif 000004
【図４】
0006392108.tif 000005
【図５】
0006392108.tif 000006
【図６】
0006392108.tif 000007
【図７】
0006392108.tif 000008
【図８】
0006392108.tif 000009
【図９】
0006392108.tif 000010
【図１０】
0006392108.tif 000011
【図１１】
0006392108.tif 000012
【図１２】
0006392108.tif 000013
【図１３】
0006392108.tif 000014
【図１４】
0006392108.tif 000015